(57)【特許請求の範囲】
【請求項１】
作業を施す部品を載せることができる作業机であって、
この作業机は、前記部品を載せることができる水平な天板及びこの天板を支える脚部を備えている主テーブルと、
前記天板の側面に付属したフックと、
このフックに掛け止める掛け止め部を上端に備え、前記部品を載せることができる傾斜した面を備え、この傾斜した面の下辺に前記部品の落下を防ぐストッパ片を備えている補助テーブルと、
からなる作業机において、
前記天板の側面に接する背板部が、前記補助テーブルの上端から下方に延ばされ、且つ、前記背板部の上面が、前記天板の上面と面一になっていることを特徴とする作業机。
【請求項２】
前記フックは、前記天板に出没自在に設けられており、且つ、前記天板に指を差し込むことができる凹部が設けられており、この凹部に前記指を差し込み、この指で前記フックを引き出すことができるようにしたことを特徴とする請求項１記載の作業机。
【発明の詳細な説明】
【技術分野】
【０００１】
本発明は補助テーブルを備えている作業台の改良に関する。
【背景技術】
【０００２】
作業机に、補助テーブルが備わっていると、この補助テーブルを用いて補助的な作業を行うことができ、便利である。補助テーブルには各種のものが提案されている（例えば、特許文献１参照。）。
【特許文献１】実開平５−４１４４２号公報（図１）
【０００３】
特許文献１を次図に基づいて説明する。
図７は従来の技術の基本原理を説明する図であり、（ａ）に示すように、作業者１０１が立ち姿勢で補助的な作業をする場合には、作業机１０２の主テーブル１０３から補助テーブル１０４を引き出して補助的な作業を行う。
【０００４】
ところで（ｂ）に示すように、作業者１０５が車いす１０６を利用して座り姿勢になる場合には、腰の位置が低くなり上半身しか動かせないため、前かがみで作業することになる。
【０００５】
すなわち、座り姿勢の作業者にとって、従来の補助テーブル１０４は、使い勝手が悪く、作業性がよいとは言えない。
車いす利用者など、座り姿勢の作業者にとって、使い勝手の良い作業机が求められる。
【発明の開示】
【発明が解決しようとする課題】
【０００６】
本発明は、座り姿勢の作業者にとって、使い勝手の良い作業机を提供することを課題とする。
【課題を解決するための手段】
【０００７】
請求項１に係る発明は、作業を施す部品を載せることができる作業机であって、
この作業机は、前記部品を載せることができる水平な天板及びこの天板を支える脚部を備えている主テーブルと、前記天板の側面に付属したフックと、このフックに掛け止める掛け止め部を上端に備え、前記部品を載せることができる傾斜した面を備え、この傾斜した面の下辺に前記部品の落下を防ぐストッパ片を備えている補助テーブルと、からなる作業机において、前記天板の側面に接する背板部が、前記補助テーブルの上端から下方に延ばされ、且つ、前記背板部の上面が、前記天板の上面と面一になっていることを特徴とする。
【０００８】
請求項２に係る発明では、フックは、天板に出没自在に設けられており、且つ、天板に指を差し込むことができる凹部が設けられており、この凹部に指を差し込み、この指でフックを引き出すことができるようにしたことを特徴とする。
【発明の効果】
【０００９】
請求項１に係る発明では、主テーブルに備える補助テーブルは、傾斜した面を備えている。作業を行う面が傾斜しているので、座り姿勢の作業者は、前かがみになることなく作業面に手が届き、座り作業の精度を顕著に上げることができる。なお、面を傾斜させると部品が滑り落ちる虞があるが、本発明では、傾斜した面の下辺にストッパ片を設けたので、部品の落下を防ぐこともできる。
さらに、背板部の上面が天板の上面と面一であれば、天板の平面積を増加したことになる。
【００１０】
請求項２に係る発明では、フックは天板に対して出没自在である。補助テーブルを使用しないときには、フックは天板に収納される。フックが邪魔になる心配はなく、作業机の使い勝手が高まるとともに、作業机の外観性を高めることができる。
【発明を実施するための最良の形態】
【００１１】
本発明を実施するための最良の形態を添付図に基づいて以下に説明する。なお、図面は符号の向きに見るものとする。
図１は本発明に係る作業机の斜視図であり、作業机１０は、主テーブル１１と、この主テーブル１１に着脱可能な補助テーブル２０と、からなる。
【００１２】
主テーブル１１は、部品を載せることができる水平な天板１３と、この天板１３を支える複数本（実施例では４本）の脚部１４と、天板１３の側面に付属したフック１５と、を備えている。フック１５は、例えば天板１３から水平に延ばした複数本（実施例では３本）の円柱部１６と、円柱部１６の先端に水平に渡した帯板部１７とからなる。
【００１３】
補助テーブル２０は、背板部２１と、この背板部２１の両端から延ばした三角形の側板部２２、２２と、これらの側板部２２、２２に渡した傾斜板２３と、この傾斜板２３の下辺に起立形成したストッパ片２４とからなる。
背板部２１には、ポケット状の掛け止め部２５が設けられている。この掛け止め部２５は、フック１５に嵌合する形状とされている。
【００１４】
図２は図１の２−２線断面図であり、補助テーブル２０は、背板部２１に掛け止め部２５を備えており、この掛け止め部２５は、円柱部１６の長さに対応する厚さの差し込み部２６と、帯板部１７の上部を収納する収納ポケット部２７からなる。
【００１５】
図３は主テーブルに補助テーブルを装着した図であり、フック１５の帯板部１７に、掛け止め部２５の収納ポケット部２７が嵌められることで、天板１３に補助テーブル２０が着脱自在に取り付けられる。背板部２１の上面２８は、天板１３の上面１８と面一（つらいち）であることが望まれる。面一であれば、天板１３の平面積を増加したことになる。
【００１６】
以上の構成からなる作業机の作用を次に述べる。
図４は作業机の作用説明図であり、水平からθ１だけ傾斜させた補助テーブル２０に部品を載せて、車いす３０に座った作業者３１が作業を行っている形態を示す。３２は深く前屈したときの上半身の線である。また、３３は軽く前屈したときの上半身の線である。
上半身の線３２は傾斜角θ１がゼロに近い場合に現れる。上半身の線３３は傾斜角θ１が約３０°の場合に現れる。
【００１７】
すなわち、補助テーブル２０をθ１だけ水平から傾斜させたことにより、作業姿勢を、上半身の線３２から上半身の線３３へ変化させることができる。
上半身の線３３であれば、前屈の程度が軽微であり、作業性の向上が期待される。
作業を行う面が傾斜しているので、座り姿勢の作業者は、強く前かがみになることなく作業面に手が届き、座り作業の精度を顕著に上げることができる。なお、面を傾斜させると部品が滑り落ちる虞があるが、本発明では、傾斜した面の下辺にストッパ片を設けたので、部品の落下を防ぐこともできる。
【００１８】
図２で説明したフック１５は、天板１３に固定されているが、フック１５を天板１３に出没可能に取り付けることもできる。その例を次に説明する。
図５は図２の別実施例図であり、図２と同様の部材は符号を流用して詳細な説明は省略する。
【００１９】
すなわち、天板１３には、帯板部１７が収納される凹溝３５及びネック部３６を移動自在に収納する穴３７が設けられている。ネック部３６は円柱部１６（図２）より十分に長い部材である。この十分に長いネック部３６に、ばね部材３８を取り付ける。そして、ネック部３６の後端（図左端）にばね座３９が、ボルト４１で固定されている。ばね座３９はネック部３６に、ねじ込みにより固定しても良い。４２は指を差し込むことができる凹部である。
【００２０】
また、ばね部材３８は、圧縮コイルばねが好適であるが、引っ張りコイルばね、トーションばね（捻りばね）であってもよい。
【００２１】
図６は別実施例の作用図であり、まず、主テーブル１１の凹部４２に指を差し入れ、帯板部１７を図右へ引き出す。すると、ばね部材３８が縮み、フック１５が全体的に矢印（１）のように移動する。
次に、補助テーブル２０を天板１３の側面に沿って矢印（２）のように下降させると、掛け止め部２５がフック１５に引掛かり、補助テーブル２０が主テーブル１１に保持される。
【００２２】
また、補助テーブル２０を上方へ持ち上げると、掛け止め部２５がフック１５から外れて、補助テーブル２０が主テーブル１１から離れる。
フック１５は凹溝３５に収まる方向にばね部材３８により付勢されているので、補助テーブル２０が主テーブル１１から離れると、フック１５は自動的に凹溝３５に収まる。
【００２３】
フック１５は天板１３に対して出没自在であり、補助テーブル２０を容易に取り付けることができる。また、補助テーブル２０を使用しないときはフック１５が没するので、主テーブル１１のみ使用する場合でも使い勝手がよい状態で作業することができる。
【００２４】
尚、本発明の作業机は、実施の形態では車いすの作業者に適用したが、座り姿勢で作業するのであれば、普通の椅子に座る作業者に適用可能である。
【００２５】
また、図１に示したように、フック１５は、天板１３から３本の円柱部１６を延ばし、これらの円柱部１６の先端に帯板部１７を掛け渡した構造にした。この構造であれば、フック１５及び掛け止め部２５の形状は単純になる。しかし、帯板部１７を３個の円柱又は角柱に換え、これらの円柱または角柱を各々円柱部１６の先端に設けるようにしてもよく、フック１５の形状は変更可能である。これに伴って、掛け止め部２５は３個の鍵形状切欠きにすることは差しつかえない。
【産業上の利用可能性】
【００２６】
本発明の作業机は、座り姿勢で作業をするための作業机に好適である。
【図面の簡単な説明】
【００２７】
【図１】本発明に係る作業机の斜視図である。
【図２】図１の２−２線断面図である。
【図３】主テーブルに補助テーブルを装着した図である。
【図４】作業机の作用説明図である。
【図５】図２の別実施例図である。
【図６】別実施例の作用図である。
【図７】従来の技術の基本原理を説明する図である。
【符号の説明】
【００２８】
１０…作業机、１１…主テーブル、１３…天板、１４…脚部、１５…フック、２０…補助テーブル、２４…ストッパ片、２５…掛け止め部。
【図１】
0004558779.tif 000002
【図２】
0004558779.tif 000003
【図３】
0004558779.tif 000004
【図４】
0004558779.tif 000005
【図５】
0004558779.tif 000006
【図６】
0004558779.tif 000007
【図７】
0004558779.tif 000008